(57)【要約】      （修正有）【課題】抜け止めピンと２部材の連結部構造とが有する諸問題が解決された抜け止めピンと２部材の連結部構造を提供する。【解決手段】対向して延在する２本の棒状の脚部と、２本の脚部の基部を互いに連結する棒状の連結腕とを備える平面視略Ｕ形状の抜け止めピンであって、連結腕の中央部が、２本の脚部と連結腕の両端部とが含まれる平面に対し面外方向へ屈曲し、互いに対向する２本の腕部を形成しつつ延在している。【選択図】図４
2006161821.tif 000002
【特許請求の範囲】
【請求項１】
対向して延在する２本の棒状の脚部と、２本の脚部の基部を互いに連結する棒状の連結腕とを備える平面視略Ｕ形状の抜け止めピンであって、連結腕の中央部が、２本の脚部と連結腕の両端部とが含まれる平面に対し面外方向へ屈曲し、互いに対向する２本の腕部を形成しつつ延在していることを特徴とする抜け止めピン。
【請求項２】
面外方向へ屈曲して延在する連結腕の中央部の先端部が、更に面外方向へ屈曲しており、当該先端部が含まれる平面が、前記２本の脚部と連結腕の両端部とが含まれる平面と略平行に延在していることを特徴とする請求項１に記載の抜け止めピン。
【請求項３】
脚部に、当該脚部の延在方向と直交する方向へ膨出する湾曲部または屈曲部が形成されていることを特徴とする請求項１又は２に記載の抜け止めピン。
【請求項４】
請求項１乃至３の何れか１項に記載の抜け止めピンと、抜け止めピンが挿入されて抜け止めされる２部材の連結部と、連結部に形成され抜け止めピンの連結腕中央部を係止するピン係止部とを備えることを特徴とする２部材の連結部構造。
【請求項５】
請求項１乃至３の何れか１項に記載の抜け止めピンと、抜け止めピンが挿入されて抜け止めされる２部材の連結部と、当該連結部と抜け止めピンの連結腕中央部とに緊密に掛け回された環状弾性体とを備えることを特徴とする２部材の連結部構造。
【請求項６】
請求項２に記載の抜け止めピンと、抜け止めピンが挿入されて抜け止めされる２部材の連結部と、当該連結部と抜け止めピンの連結腕中央部とに緊密に掛け回された環状弾性体とを備え、２部材の連結部の、環状弾性体を間に挟んで抜け止めピン中央部の先端部とは反対側の部位に、環状弾性体抜け止め用の突起が形成されていることを特徴とする２部材の連結部構造。
【発明の詳細な説明】
【技術分野】
【０００１】
本発明は、抜け止めピン及び２部材の連結部構造に関するものである。
【背景技術】
【０００２】
図１（ａ）〜（ｃ）に示す平面視略Ｕ形状の抜け止めピン１が従来から部材の連結部に使用されている。抜け止めピン１は、対向して延在する２本の棒状の脚部２と、２本の脚部２の基部を互いに連結する棒状の連結腕３とを備え、脚部２と連結腕３とは同一平面内に含まれている。
【０００３】
抜け止めピン１は、図２に例示するような、２部材の連結部構造の構成部品として使用される。図２の連結部構造は、管材４と、拡径された一端５ａが管材４の一端４ａに緊密に嵌入した管材５と、抜け止めピン１とにより構成されている。管材４の一端４ａ近傍部に形成された一対の貫通穴４ｂに抜け止めピン１の一対の脚部２が挿通されている。各貫通穴４ｂは管材４の周壁を２度貫通しており、貫通穴４ｂに挿通された脚部２の一部は、管材４の内部空間内で延在する。脚部２の、管材４の内部空間内で延在する部位は、管材５の拡径した一端５ａの基部外周面が形成する環状の段部５ｂに係合し、管材５の管材４からの抜け落ちを防止している。
【発明の開示】
【発明が解決しようとする課題】
【０００４】
従来構造の抜け止めピン１と２部材の連結部構造には、以下の問題があった。
（１）連結部構造を形成する管材４、５の寸法に応じて、図１（ａ）〜（ｃ）に例示するように、寸法の異なる抜け止めピン１を用いる必要がある。
（２）管材４、５の連結を解除すべく抜け止めピン１を引き抜く際に、工具を用いる必要がある。
（３）振動などの外力が加わると抜け止めピン１が脱落する可能性がある。脱落の可能性が特に高い下方から上方への挿通は不可なので、抜け止めピンの挿通方向に制限がある。
本発明は上記問題に鑑みてなされたものであり、上記諸問題が解決された抜け止めピンと２部材の連結部構造とを提供することを目的とする。
【課題を解決するための手段】
【０００５】
上記課題を解決するために、本発明においては、対向して延在する２本の棒状の脚部と、２本の脚部の基部を互いに連結する棒状の連結腕とを備える平面視略Ｕ形状の抜け止めピンであって、連結腕の中央部が、２本の脚部と連結腕の両端部とが含まれる平面に対し面外方向へ屈曲し、互いに対向する２本の腕部を形成しつつ延在していることを特徴とする抜け止めピンを提供する。
本発明に係る抜け止めピンにおいては、互いに対向する延在する２本の腕部を指で摘んで引き寄せることにより、対向して延在する２本の脚部間の距離を減少させることができる。従って、同一寸法の抜け止めピンを、寸法の異なる複数の連結部構造の構成部品として使用することができる。
【０００６】
本発明の好ましい態様においては、面外方向へ屈曲して延在する連結腕の中央部の先端部が、更に面外方向へ屈曲しており、当該先端部が含まれる平面が、前記２本の脚部と連結腕の両端部とが含まれる平面と略平行に延在している。
前記構成の連結腕中央部の先端部は２部材の連結部から突出するので、２部材の連結を解除すべく抜け止めピンを引き抜く際に、指を掛けるためのつまみとして利用できる。この結果、抜け止めピンを引き抜く際に工具を用いる必要がなくなり、２部材の連結を解除する際の作業性が向上する。
【０００７】
本発明の好ましい態様においては、抜け止めピンの脚部に、当該脚部の延在方向と直交する方向へ膨出する湾曲部または屈曲部が形成されている。
抜け止めピンの脚部に形成された湾曲部又は屈曲部の膨出量を、２部材の連結部に形成される抜け止めピン挿通穴の直径よりも大きな値に設定し、且つ２部材の連結部に抜け止めピンを装着する際に、抜け止めピンの脚部に形成された湾曲部又は屈曲部が抜け止めピン挿通穴を通過する位置まで抜け止めピンの脚部を前記挿通穴に挿入しておけば、前記湾曲部又は屈曲部により、抜け止めピンの脱落が防止される。
【０００８】
本発明においては、上記の抜け止めピンと、抜け止めピンが挿入されて抜け止めされる２部材の連結部と、連結部に形成され抜け止めピンの連結腕中央部を係止するピン係止部とを備えることを特徴とする２部材の連結部構造を提供する。
本発明においては、上記の抜け止めピンと、抜け止めピンが挿入されて抜け止めされる２部材の連結部と、当該連結部と抜け止めピンの連結腕中央部とに緊密に掛け回された環状弾性体とを備えることを特徴とする２部材の連結部構造を提供する。
抜け止めピンの連結腕中央部をピン係止部に係止させることにより、或いは２部材の連結部と抜け止めピンの連結腕中央部とに環状弾性体を緊密に掛け回すことにより、振動等の外力による抜け止めピンの脱落を防止することができる。抜け止めピンを下方から上方へ挿通した場合でも抜け止めピンの脱落を確実に防止することができるので、抜け止めピンの挿通方向に制限が無い。
【０００９】
本発明においては、面外方向へ屈曲して延在する連結腕の中央部の先端部が、更に面外方向へ屈曲しており、当該先端部が含まれる平面が、前記２本の脚部と連結腕の両端部とが含まれる平面と略平行に延在している抜け止めピンと、抜け止めピンが挿入されて抜け止めされる２部材の連結部と、当該連結部と抜け止めピンの連結腕中央部とに緊密に掛け回された環状弾性体とを備え、２部材の連結部の、環状弾性体を間に挟んで抜け止めピン中央部の先端部とは反対側の部位に、環状弾性体抜け止め用の突起が形成されていることを特徴とする２部材の連結部構造を提供する。
２部材の連結部から突出する抜け止めピンの連結腕中央部の先端部と、２部材の連結部に形成された環状弾性体抜け止め用突起との間に、弾性環状体が位置決めされることにより、２部材の連結部からの環状弾性体の脱落が防止される。
【発明の効果】
【００１０】
本発明に係る抜け止めピンにおいては、互いに対向して延在する２本の腕部を指で摘んで引き寄せることにより、対向して延在する２本の脚部間の距離を減少させることができる。従って、同一寸法の抜け止めピンを、寸法の異なる複数の連結部構造の構成部品として使用することができる。
【発明を実施するための最良の形態】
【００１１】
本発明の実施例に係る抜け止めピンと２部材の連結部構造とを説明する。
【実施例１】
【００１２】
図３（ａ）に示すように、抜け止めピン１１は、対向して平行に延在する２本の棒状の脚部１２と、２本の脚部１２の基部を互いに連結する棒状の連結腕１３とを備えており、平面視略Ｕ型の形状を成している。
連結腕１３の中央部が、２本の脚部１２と連結腕１３の両端部とが含まれる平面に対し面外方向へ略９０°屈曲し、互いに対向し平行な２本の腕部１３ａを形成しつつ延在している。
面外方向へ屈曲して延在する連結腕１３の中央部の先端部１３ｂが、更に面外方向へ略９０°屈曲しており、先端部１３ｂが含まれる平面が、２本の脚部１２と連結腕１３の両端部とが含まれる平面と略平行に延在している。
【００１３】
抜け止めピン１１は、図４に例示するような、２部材の連結部構造の構成部品として使用される。図４の連結部構造は、管材１４と、拡径した一端１５ａが管材１４の一端１４ａに緊密に嵌入した管材１５と、抜け止めピン１１とにより構成されている。管材１４の一端１４ａ近傍部に形成された一対の貫通穴１４ｂにピン１１の一対の脚部１２が挿通されている。各貫通穴１４ｂは管材１４の周壁を２度貫通しており、貫通穴１４ｂに挿通された脚部１２の一部は、管材１４の内部空間内で延在する。脚部１２の、管材１４の内部空間内で延在する部位は、管材１５の拡径した一端１５ａの基部外周面が形成する環状の段部１５ｂに係合し、管材１５の管材１４からの抜け落ちを防止している。
連結腕１３の面外方向へ屈曲して延在する中央部が形成する２本の腕部１３ａは、管材１４の外側面に沿って、管材１４の長手方向へ延在している。前記中央部の更に面外方向へ屈曲した先端部１３ｂは、管材１４の外側面から径方向外方へ向けて起立している。管材１４の外側面から径方向外方伸びる突起１４ｃが有する溝部が、２本の腕部１３ａの一方に係合して、抜け止めピン１１を突起１４ｃに係止している。
【００１４】
本実施例に係る抜け止めピン１１においては、図３（ａ）、（ｂ）、（ｃ）から分かるように、互いに対向して平行に延在する２本の腕部１３ａを指で摘んで引き寄せることにより、対向して平行に延在する２本の脚部１２間の距離を減少させることができる。従って、同一寸法の抜け止めピン１１を、寸法の異なる複数の、２部材の連結部構造の構成部品として使用することができる。
【００１５】
連結腕１３中央部の先端部１３ｂは、管材１４の外側面から径方向外方へ突出しているので、管材１４と管材１５との連結を解除すべく抜け止めピン１１を引き抜く際に、指を掛けるためのつまみとして利用できる。この結果、抜け止めピン１１を引き抜く際に工具を用いる必要がなくなり、管材１４、１５の連結を解除する際の作業性が向上する。
【００１６】
抜け止めピン１１の連結腕中央部１３ａを突起１４ｃに係止させることにより、振動等の外力による抜け止めピン１１の脱落を防止することができる。抜け止めピン１１を下方から上方へ挿通した場合でも抜け止めピン１１の脱落を確実に防止することができるので、抜け止めピン１１の挿通方向に制限が無い。
【実施例２】
【００１７】
突起１４ｃを配設するのに代えて、図５に示すように、管材１４と抜け止めピン１１の連結腕中央部１３ａとに、伸縮可能な環状弾性体１６を緊密に掛け回しても良い。環状弾性体１６を用いて、連結腕中央部１３ａを管材１４に緊密に固縛することにより、振動等の外力による抜け止めピン１１の脱落を防止することができる。抜け止めピン１１を下方から上方へ挿通した場合でも抜け止めピン１１の脱落を確実に防止することができるので、抜け止めピン１１の挿通方向に制限が無い。
環状弾性体１６は、輪ゴムのような元から環状に形成された部材でも良く、或いは輪を形成するための留め具を有する帯状体、紐状体を用いて形成されたものでも良い。
管材１４の、環状弾性体１６を間に挟んで抜け止めピン１１中央部の先端部１３ｂとは反対側の部位に、環状弾性体抜け止め用の突起１４ｄ、１４ｅを形成し、抜け止めピン１１中央部の先端部１３ｂと突起１４ｄ、１４ｅとの間に弾性環状体１６を位置決めすることにより、管材１４、１５の連結部からの環状弾性体１６の脱落を防止することができる。
【実施例３】
【００１８】
図６に示すように、抜け止めピン１１の脚部１２に、当該脚部の延在方向と直交する方向へ膨出する湾曲部１２ａを形成しても良い。
湾曲部１２ａの膨出量Ａを、管材１４に形成した貫通穴１４ｂの直径Ｂよりも大きな値に設定し、且つ管材１４と管材１５との連結部に抜け止めピン１１を装着する際に、湾曲部１２ａが貫通穴１４ｂを通過して管材１４の内部空間に進入した位置まで抜け止めピン１１の脚部１２を貫通穴１４ｂに挿入しておけば、湾曲部１２ａにより、抜け止めピン１１の脱落が防止される。
湾曲部１２ａに代えて屈曲部を形成しても良い。
【実施例４】
【００１９】
図６（ａ）に一点鎖線で示すように、抜け止めピン１１の脚部１２の全体又は先端近傍部を、八の字状に若干外開きに形成しても良い。八の字状に外開きになった脚部１２の先端は、手前側の貫通穴１４ｂを通過した後、管材１４の内周面に当接し当該内周面によって後方の貫通穴１４ｂまで案内される。この結果、抜け止めピン１１の装着が容易になる。
【産業上の利用可能性】
【００２０】
本発明は、抜け止めピン及び２部材の連結部構造に広く利用可能である。
【図面の簡単な説明】
【００２１】
【図１】従来の抜け止めピンの平面図である。
【図２】従来の抜け止めピンを備える２部材の連結部構造を示す図である。（ａ）は正面図であり、（ｂ）は右側面図であり、（ｃ）は底面図であり、（ｄ）は縦断面図である。
【図３】本発明の実施例に係る抜け止めピンの構造図である。（ａ）、（ｃ）、（ｅ）は平面図であり、（ｂ）、（ｄ）、（ｆ）は（ａ）、（ｃ）、（ｅ）のｂ−ｂ矢視図、ｄ−ｄ矢視図、ｆ−ｆ矢視図である。
【図４】本発明の実施例に係る抜け止めピンを備える２部材の連結部構造を示す図である。（ａ）は正面図であり、（ｂ）は右側面図であり、（ｃ）は底面図であり、（ｄ）は縦断面図である。
【図５】本発明の他の実施例に係る抜け止めピンを備える２部材の連結部構造を示す図である。（ａ）は正面図であり、（ｂ）は右側面図であり、（ｃ）は底面図である。
【図６】本発明の他の実施例に係る抜け止めピンと、当該抜け止めピンを備える２部材の連結部構造とを示す図である。（ａ）は抜け止めピンの平面図であり、（ｂ）は連結部構造の断面図である。
【符号の説明】
【００２２】
１、１１  抜け止めピン
２、１２  脚部
１２ａ  湾曲部
３、１３  連結腕
１３ａ  腕部
１３ｂ  先端部
４、５、１４、１５  管材
１４ｂ  貫通穴
１４ｃ  突起
１４ｄ、１４ｅ  環状弾性体抜け止め用の突起
１６  環状弾性体
【図１】
2006161821.tif 000003
【図２】
2006161821.tif 000004
【図３】
2006161821.tif 000005
【図４】
2006161821.tif 000006
【図５】
2006161821.tif 000007
【図６】
2006161821.tif 000008